【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
ハンマー搭載部分及びハンマー刃部分を含んでいるハンマー本体を備えていて、ハンマー搭載部分はその中に規定されていてハンマー本体の第１主要表面からハンマー本体の第２主要表面まで延出している搭載開口を含み、ハンマーピンと係合する為に搭載開口内にピン搭載表面が設けられていて、ピン搭載表面の少なくとも一部分が凸状であり、凸状であるピン搭載表面の部分の少なくとも或る部位が搭載開口において第１及び第２主要表面の間のハンマー本体の全厚さに渡り連続して湾曲しているとともにハンマー刃部分から最も離れて配置されているハンマーピン受け入れ開口の少なくとも半分に沿って位置されている、
破砕ハンマー。
【請求項２】
ピン搭載表面がハンマー本体の搭載開口の内表面中に直接的に形成されている、請求項１に従っている破砕ハンマー。
【請求項３】
搭載表面内に少なくとも部分的に受け入れられているスプール部材をさらに備えていて、スプール部材はそれを通って規定されているハンマーピン搭載開口及び搭載開口の内表面に係合する外表面を含む、請求項２に従っている破砕ハンマー。
【請求項４】
搭載開口の内表面に係合するスプール部材の外表面の少なくとも一部分が、スプール部材の長手方向において連続して湾曲されている、請求項３に従っている破砕ハンマー。
【請求項５】
搭載開口内に受け入れられたブッシュ部材をさらに備えていて、ブッシュ部材の内表面はピン搭載表面を構成している、請求項１に従っている破砕ハンマー。
【請求項６】
ピン搭載表面の少なくとも一部分は、ブッシュ部材の第１端からブッシュ部材の第２端まで連続して湾曲されている、請求項５に従っている破砕ハンマー。
【請求項７】
ブッシュ部材は搭載開口内で少なくとも部分的にハンマー本体と固定的に係合されている、請求項５に従っている破砕ハンマー。
【請求項８】
ピン搭載表面の凸状の部分は、ハンマー刃部分から最も遠くに配置されているハンマーピン受け入れ開口の半分の全域に配置されている、請求項１に従っている破砕ハンマー。
【請求項９】
ハンマー刃部分に対し最も近くに位置している搭載開口の半分中に配置されているピン搭載表面の少なくとも一部分は第１主要表面から第２主要表面に向かう方向において連続的に湾曲されていない、請求項１に従っている破砕ハンマー。
【請求項１０】
ピン搭載表面の凸状の部分は、円の弧の横断面を有している第１領域を含んでいて、この円は、式０．５≦Ｒ１／Ｔ≦４に対応している半径Ｒ１を有していて、ここにおいてＴは搭載開口における破砕ハンマーの最も小さな厚さ寸法である、請求項１に従っている破砕ハンマー。
【請求項１１】
ピン搭載表面の凸状の部分は：（ａ）第１円の弧の横断面を有していて、第１円が式０．５≦Ｒ１／Ｔ≦４に対応している半径Ｒ１を有していて、ここにおいてＴは搭載開口における破砕ハンマーの最も小さな厚さ寸法である、中央領域と；（ｂ）中央領域の第１端にあり、半径Ｒ２を有している第２円の弧の横断面を有して、ここにおいてＲ２は０．０５Ｒ１乃至０．５Ｒ１の範囲にある、第１端領域と；そして、（ｃ）中央領域の第２端にあり、半径Ｒ３を有している第３円の弧の横断面を有して、ここにおいてＲ３は０．０５Ｒ１乃至０．５Ｒ１の範囲にあり、そしてここにおいてＲ３はＲ２と同じであるから又はＲ２から異なっていて良い、第２端領域と；を含む、請求項１に従っている破砕ハンマー。
【請求項１２】
Ｒ３はＲ２と同じである、請求項１１に従っている破砕ハンマー。
【請求項１３】
ピン搭載表面の凸状の部分は、搭載開口においてハンマー本体の全厚さの中央３０％内に配置されている局部的な極端を含んでいる、請求項１に従っている破砕ハンマー。
【請求項１４】
ピン搭載表面の凸状の部分は、搭載開口においてハンマー本体の全厚さの中央内に配置されている局部的な極端を含んでいる、請求項１に従っている破砕ハンマー。
【請求項１５】
ピン搭載表面の凸状の部分は、破砕ハンマーが回転破砕頭部上で回転された時にピン搭載表面の初期負荷受け部分に対応している位置に配置されている、請求項１に従っている破砕ハンマー。
【請求項１６】
ピン搭載表面の凸状の部分は、第１主要表面から第２主要表面へと向かう方向において連続的に湾曲されていて、そして、ここにおいては、ピン搭載表面が、第１主要表面から第２主要表面へと向かう方向において連続的に湾曲されていない部分を含む、請求項１に従っている破砕ハンマー。
【請求項１７】
ハンマー本体は、少なくとも一部が、繰り返される衝撃力に対して反転して動作する鋼材料から構成されている、請求項１に従っている破砕ハンマー。
【請求項１８】
ハンマー本体は、少なくとも一部が、重量による１０〜２０％の範囲のマンガン合金含入量を有している鋼材料から構成されている、請求項１に従っている破砕ハンマー。
【請求項１９】
ハンマー本体は、少なくとも一部が、重量による１１〜１４％のマンガン合金含入量を有している鋼材料から構成されている、請求項１に従っている破砕ハンマー。
【請求項２０】
ハンマー本体は、少なくとも一部が、ハッドフィールドマンガン鋼から構成されている、請求項１に従っている破砕ハンマー。
【請求項２１】
ハンマー搭載部分及びハンマー刃部分を含んでいるハンマー本体を備えていて、ハンマー搭載部分はその中に規定されていてハンマー本体の第１主要表面からハンマー本体の第２主要表面まで延出している搭載開口を含み、ハンマーピンと係合する為に搭載開口内にピン搭載表面が設けられていて、ピン搭載表面の少なくとも一部分が凸状であり、凸状であるピン搭載表面の部分の少なくとも或る部位が搭載開口において第１及び第２主要表面の間のハンマー本体の全厚さの中央の９０％内に配置されており、そして、ここにおいては、ピン搭載表面の凸状の部分は、複数の平坦で、平行ではない表面を含んでおり、ここにおいては、搭載開口におけるハンマー本体の全厚さの中央５０％内の個々の平坦表面が鈍角でそれが隣接している平坦な表面に接合されている、
破砕ハンマー。
【請求項２２】
ピン搭載表面の凸状の部分は、３から４０までの平坦で平行でない表面を含む、請求項２１に従っている破砕ハンマー。
【請求項２３】
ハンマー搭載部分及びハンマー刃部分を含んでいて、ハンマー搭載部分がハンマー本体の第１主要表面からハンマー本体の第２主要表面まで延出してその中に規定されている搭載開口を含んでいる、ハンマー本体と；そして、搭載開口中に受け入れられていて、搭載開口に係合する外表面を含み、ピンを受け入れる為の内表面を含んでいるハンマーピン受け入れ開口を規定する、ピン係合部材と；を備えていて、ここにおいては、ピン係合部材が球枢動部材を含んでいて、ここにおいては球枢動部材がハンマー本体の搭載開口中で回転可能である、
破砕ハンマー。
【請求項２４】
凸状であるピン搭載表面の部分の少なくとも或る部位が、ハンマー刃部分から最も離れて配置されているハンマーピン受け入れ開口の少なくとも半分に沿って位置されている、請求項２１に従っている破砕ハンマー。
【手続補正２】
【補正対象書類名】明細書
【補正対象項目名】００１４
【補正方法】変更
【補正の内容】
【００１４】
この発明の一つの概念に従った破砕ハンマーは、ハンマー搭載部分及びハンマー刃部分を含んでいるハンマー本体を備えていて、ハンマー搭載部分はその中に規定されていてハンマー本体の第１主要表面からハンマー本体の第２主要表面まで延出している搭載開口を含み、ハンマーピンと係合する為に搭載開口内にピン搭載表面が設けられていて、ピン搭載表面の少なくとも一部分が凸状であり、凸状であるピン搭載表面の部分の少なくとも或る部位が搭載開口において第１及び第２主要表面の間のハンマー本体の全厚さに渡り連続して湾曲しているとともにハンマー刃部分から最も離れて配置されているハンマーピン受け入れ開口の少なくとも半分に沿って位置されている。
【手続補正３】
【補正対象書類名】明細書
【補正対象項目名】００１５
【補正方法】変更
【補正の内容】
【００１５】
この発明のもう一つの概念に従った破砕ハンマーは、ハンマー搭載部分及びハンマー刃部分を含んでいるハンマー本体を備えていて、ハンマー搭載部分はその中に規定されていてハンマー本体の第１主要表面からハンマー本体の第２主要表面まで延出している搭載開口を含み、ハンマーピンと係合する為に搭載開口内にピン搭載表面が設けられていて、ピン搭載表面の少なくとも一部分が凸状であり、凸状であるピン搭載表面の部分の少なくとも或る部位が搭載開口において第１及び第２主要表面の間のハンマー本体の全厚さの中央の９０％内に配置されており、そして、ここにおいては、ピン搭載表面の凸状の部分は、複数の平坦で、平行ではない表面を含んでおり、ここにおいては、搭載開口におけるハンマー本体の全厚さの中央５０％内の個々の平坦表面が鈍角でそれが隣接している平坦な表面に接合されている。
【手続補正４】
【補正対象書類名】明細書
【補正対象項目名】００１６
【補正方法】変更
【補正の内容】
【００１６】
この発明のさらにもう一つの概念に従った破砕ハンマーは、ハンマー搭載部分及びハンマー刃部分を含んでいて、ハンマー搭載部分がハンマー本体の第１主要表面からハンマー本体の第２主要表面まで延出してその中に規定されている搭載開口を含んでいる、ハンマー本体と；そして、搭載開口中に受け入れられていて、搭載開口に係合する外表面を含み、ピンを受け入れる為の内表面を含んでいるハンマーピン受け入れ開口を規定する、ピン係合部材と；を備えていて、ここにおいては、ピン係合部材が球枢動部材を含んでいて、ここにおいては球枢動部材がハンマー本体の搭載開口中で回転可能である。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００７８
【補正方法】変更
【補正の内容】
【００７８】
結論
この発明は、種々の例の構造，特徴，要素，そして構造，特徴，及び要素の組み合わせを参照して、上に記載され、そして添付の図面中において示されている。開示により提供された目的は、しかしながら、この発明に関係している種々の特徴及び概念の例を提供する為であり、この発明の範囲を限定しない。関係している技術に習熟している人は、種々の変形及び改造を、この発明の範囲から離れることなく上に記載されていた例の構造を成すことが出来ることを認識する。
なお、この明細書の記載には、以下の発明が含まれている。
［１］．
ハンマー搭載部分及びハンマー刃部分を含んでいるハンマー本体を備えていて、ハンマー搭載部分はその中に規定されていてハンマー本体の第１主要表面からハンマー本体の第２主要表面まで延出している搭載開口を含み、ハンマーピンと係合する為に搭載開口内にピン搭載表面が設けられていて、ピン搭載表面の少なくとも一部分が凸状であり、凸状のピン搭載表面の部分の少なくとも或る部位が搭載開口において第１及び第２主要表面の間のハンマー本体の全厚さの中央の９０％内に配置されている、
破砕ハンマー。
［２］．
ピン搭載表面がハンマー本体の搭載開口の内表面中に直接的に形成されている、前記［１］．に従っている破砕ハンマー。
［３］．
ピン搭載表面の凸状の部分が第１主要表面から第２主要表面へと連続的に湾曲されている、前記［２］．に従っている破砕ハンマー。
［４］．
搭載表面内に少なくとも部分的に受け入れられているスプール部材をさらに備えていて、スプール部材はそれを通って規定されているハンマーピン搭載開口及び搭載開口の内表面に係合する外表面を含む、前記［２］．に従っている破砕ハンマー。
［５］．
搭載開口の内表面に係合するスプール部材の外表面の少なくとも一部分が、スプール部材の長手方向において連続して湾曲されている、前記［４］．に従っている破砕ハンマー。
［６］．
搭載開口内に受け入れられたブッシュ部材をさらに備えていて、ブッシュ部材の内表面はピン搭載表面を構成している、前記［１］．に従っている破砕ハンマー。
［７］．
ピン搭載表面の少なくとも一部分は、ブッシュ部材の第１端からブッシュ部材の第２端まで連続して湾曲されている、前記［６］．に従っている破砕ハンマー。
［８］．
ブッシュ部材は搭載開口内で少なくとも部分的にハンマー本体と固定的に係合されている、前記［６］．に従っている破砕ハンマー。
［９］．
ピン搭載表面の凸状の部分は、搭載開口においてハンマー本体の全厚さの少なくとも２５％を延出している湾曲されている表面である、前記［１］．に従っている破砕ハンマー。
［１０］．
ピン搭載表面の凸状の部分は、ハンマー刃部分から最も遠くに配置されているハンマーピン受け入れ開口の半分に少なくとも部分的に配置されている、前記［１］．に従っている破砕ハンマー。
［１１］．
ピン搭載表面の凸状の部分は、第１主要表面から第２主要表面へと向かう方向に連続的に湾曲されている、前記［１］．に従っている破砕ハンマー。
［１２］．
連続的に湾曲されているピン搭載表面の部分はハンマー刃部分から最も遠くに位置している搭載開口の半分中にすくなとも部分的に配置されていて、そして、ハンマー刃部分に対し最も近くに位置している搭載開口の半分中に配置されているピン搭載開口の好くなとも一部分は第１主要表面から第２主要表面に向かう方向において連続的に湾曲されていない、前記［１１］．に従っている破砕ハンマー。
［１３］．
ピン搭載表面の凸状の部分は、円の弧の横断面を有している第１領域を含んでいて、この円は、式０．５≦Ｒ１／Ｔ≦４に対応している半径Ｒ１を有していて、ここにおいてＴは搭載開口における破砕ハンマーの最も小さな厚さ寸法である、前記［１］．に従っている破砕ハンマー。
［１４］．
ピン搭載表面の凸状の部分は：（ａ）第１円の弧の横断面を有していて、第１円が式０．５≦Ｒ１／Ｔ≦４に対応している半径Ｒ１を有していて、ここにおいてＴは搭載開口における破砕ハンマーの最も小さな厚さ寸法である、中央領域と；（ｂ）中央領域の第１端にあり、半径Ｒ２を有している第２円の弧の横断面を有して、ここにおいてＲ２は０．０５Ｒ１乃至０．５Ｒ１の範囲にある、第１端領域と；そして、（ｃ）中央領域の第２端にあり、半径Ｒ３を有している第３円の弧の横断面を有して、ここにおいてＲ３は０．０５Ｒ１乃至０．５Ｒ１の範囲にあり、そしてここにおいてＲ３はＲ２と同じであるから又はＲ２から異なっていて良い、第２端領域と；を含む、前記［１］．に従っている破砕ハンマー。
［１５］．
Ｒ３はＲ２と同じである、前記［１４］に従っている破砕ハンマー。
［１６］．
ピン搭載表面の凸状の部分は、搭載開口においてハンマー本体の全厚さの中央３０％内に配置されている局部的な極端を含んでいる、前記［１］．に従っている破砕ハンマー。
［１７］．
ピン搭載表面の凸状の部分は、搭載開口においてハンマー本体の全厚さの中央内に配置されている局部的な極端を含んでいる、前記［１］．に従っている破砕ハンマー。
［１８］．
ピン搭載表面の凸状の部分は、破砕ハンマーが回転破砕頭部を上で回転された時にピン搭載表面の初期負荷受け部分に対応している位置に配置されている、前記［１］．に従っている破砕ハンマー。
［１９］．
ピン搭載表面の凸状の部分は、第１主要表面から第２主要表面へと向かう方向において連続的に湾曲されていて、そして、ここにおいては、ピン搭載表面が、第１主要表面から第２主要表面へと向かう方向において連続的に湾曲されていない第２部分を含む、前記［１］．に従っている破砕ハンマー。
［２０］．
ハンマー本体は、少なくとも一部が、繰り返される衝撃力に対して反転して動作する鋼材料から構成されている、前記［１］．に従っている破砕ハンマー。
［２１］．
ハンマー本体は、少なくとも一部が、重量による１０〜２０％の範囲のマンガン合金含入量を有している鋼材料から構成されている、前記［１］．に従っている破砕ハンマー。
［２２］．
ハンマー本体は、少なくとも一部が、重量による１１〜１４％のマンガン合金含入量を有している鋼材料から構成されている、前記［１］．に従っている破砕ハンマー。
［２３］．
ハンマー本体は、少なくとも一部が、ハッドフィールドマンガン鋼から構成されている、前記［１］．に従っている破砕ハンマー。
［２４］．
ピン搭載表面の凸状の部分は：（ａ）搭載開口においてハンマー本体の全厚さの中心５０％以下に延出している中央平坦領域と；（ｂ）中央平坦領域の第１端において第１湾曲特性を有している第１湾曲側方領域と；そして、（ｃ）中央平坦領域の第２端において第２湾曲特性を有している第２湾曲側方領域と；を含み、ここにおいて、第１湾曲特性は第２湾曲特性と同じか又は異なっている、前記［１］．に従っている破砕ハンマー。
［２５］．
第１湾曲側方領域が第１円の弧の横断面を有しており、ここにおいては第１円が式０．２５≦Ｒ１／Ｔ≦４に対応している半径Ｒ１を有していて、第２湾曲側方領域が第２円の弧の横断面を有しており、ここにおいては第２円が式０．２５≦Ｒ２／Ｔ≦４に対応している半径Ｒ２を有していて、ここにおいては、Ｔが搭載開口における破砕ハンマーの最も小さな厚さ寸法である、前記［２４］．に従っている破砕ハンマー。
［２６］．
Ｒ１がＲ２と同じである、前記［２５］．に従っている破砕ハンマー。
［２７］．
ピン搭載表面の凸状の部分は、複数の平坦で、平行ではない表面を含んでおり、ここにおいては、搭載開口におけるハンマー本体の全厚さの中央５０％内の個々の平坦表面が鈍角でそれが隣接している平坦な表面に接合されている、前記［１］．に従っている破砕ハンマー。
［２８］．
ピン搭載表面の凸状の部分は、３から４０までの平坦で平行でない表面を含む、前記［２７］．に従っている破砕ハンマー。
［２９］．
ハンマー搭載部分及びハンマー刃部分を含んでいて、ハンマー搭載部分がハンマー本体の第１主要表面からハンマー本体の第２主要表面まで延出してその中に規定されている搭載開口を含んでいる、ハンマー本体と；そして
搭載開口中に受け入れられていて、搭載開口に係合する外表面を含み、ピンを受け入れる為の内表面を含んでいるハンマーピン受け入れ開口を規定する、ピン係合部材と；
を備えている破砕ハンマー。
［３０］．
ピン係合部材が球枢動部材を含んでいて、ここにおいては球枢動部材がハンマー本体の搭載開口中で回転可能である、前記［２９］．に従っている破砕ハンマー。
［３１］．
ピン係合部材が、ハンマー本体内に固定的に係合されているブッシュ部材を含んでいる、前記［２９］．に従っている破砕ハンマー。
［３２］．
ピン係合部材が、ハンマー本体に関し固定されていないスプール部材を含んでいる、前記［２９］．に従っている破砕ハンマー。
この明細書に記載されている発明の概念は以下のようにも記載出来る。
この発明の概念は、破砕ハンマーと、ハンマーを破砕ヘッドに係合させているハンマーピンとの間の改良された係合に関係している。より詳細な例として、この発明の概念は、ハンマー搭載部分及びハンマー刃部分を有しているハンマー本体を含んでいる破砕ハンマーに関係していて、ここにおいては、ハンマー搭載部分はその中に規定されていてハンマー本体の第１主要表面からハンマー本体の第２主要表面まで延出している搭載開口を含み、ここにおいては、ハンマーピンと係合する為に搭載開口内にピン搭載表面が設けられていて、ここにおいては、ピン搭載表面の少なくとも一部分が凸状であり、そしてここにおいては、ピン搭載表面の凸状の部分の少なくとも幾つかが搭載開口において第１及び第２主要表面の間のハンマー本体の全厚さの中央の９０％内に配置されている（凸状の部分はまた、搭載開口厚さの中央７０％内に又は中央５０％内にさえも、配置されていて良い）。ピン搭載表面は、（例えば、搭載開口の内表面において）ハンマー本体上に直接設けられていて良いし、又は、それは（ブシュ（bush）又はスプール部材（spool member）の如く）搭載開口中に受け入れられている別部材の部位として設けられていて良い。ピン搭載表面の凸状の部分は、搭載開口に位置おいてハンマー本体の全厚さの少なくとも２５％を（そして幾つかの例では、搭載開口位置において全ハンマー本体厚さの、少なくとも３５％，少なくとも５０％，少なくとも６０％，又は全体の厚さ（１００％）に渡り）延出していて良い。
この発明の幾つかのより詳細な概念は、ハンマーピン受け入れの為の開口の内表面の少なくとも一部分が破砕ハンマーの一方の主要表面から他方の主要表面まで（即ち、破砕ハンマー構造の厚さを介して）移動する方向において湾曲されている。もし望むのであれば、開口の全内表面（例えば、その全体の周囲の回り）が湾曲されて良い。
この発明のさらなる概念に従えば、ハンマーピンの為の開口の内表面は破砕ハンマーの一方の主要表面から他方の主要表面まで（即ち、破砕ハンマー構造の厚さを介して）移動する方向において滑らかに湾曲されていて良い。例えば、開口の一区域に沿った内表面（又はハンマー構造の厚さを通した内表面の少なくとも主要な部分）が、円の弧（arc of a circle）の如く，放物線（parabola）の如く，又はもう１つの滑らかに湾曲された表面の如く、滑らかに形成されていて良く、ここにおいては湾曲されている表面の局部的な極端（local extrema）（即ち、その局部的な最小又は最大）がハンマーピン開口の内部に（例えば、湾曲された表面の直線長さ（linear length）の中央５０％内に、そして幾つかの例では、湾曲された表面の直線長さ（linear length）の中央３０％内に）配置されている。
この発明のもう一つの概念は、ハンマーピンの為の開口の内表面が、開口の横断面に沿い、多数の湾曲した輪郭（profile）を有している破砕ハンマーに関係している。例えば、表面の中央部分（例えば、厚さの中央）が一つの湾曲特徴（例えば、第１半径）を有して良く、縁部分（即ち、主要表面に隣接した又は近い）が異なった湾曲特徴（例えば、より小さな半径の如く、第１半径から異なった第２半径）を有して良い。第１湾曲特徴はハンマー中の開口の厚さの大部分に渡り（例えば、開口の内表面を規定している湾曲の全直線長さ（linear length）の少なくとも５０％以上に渡り、そして幾つかの例では、この湾曲の全直線長さ（linear length）の少なくとも６５％以上に渡り又は少なくとも７５％以上に渡り）に延出して良く、他の湾曲特徴が、開口の個々の端部分において開口の内表面を規定している湾曲の全直線長さ（linear length）の２５％，２０％，１５％，１０％，又は５％以下にさえ渡る如き、厚さの残りの部分（例えば、両縁に均等に分けられて，ただ一つの縁に，その他）に渡り存在して良い。更なる代わりとしては、内表面は破砕ハンマーの一方の主要表面から他方までに渡る開口の横断面に沿い一定に変化している湾曲を有して良い。
この発明の幾つかの詳細な概念においては、ハンマーピンの為の開口の内表面が、円の弧の横断面を有するよう形成されていて、この円は、式０．２５≦Ｒ１／Ｔ≦４に対応している半径Ｒ１を有して良く、ここにおいてＴはハンマーピン受け入れ開口の位置における破砕ハンマーの厚さである。幾つかの例では、半径Ｒ１は式０．５≦Ｒ１／Ｔ≦４，式０．６≦Ｒ１／Ｔ≦３，又は式０．７５≦Ｒ１／Ｔ≦２を満たして良く、又は、これらの式の外側の他の配置を含むことさえ良い。もしも破砕ハンマーが開口の位置において一定の厚さを有していないのであれば、その時はＴはその最も薄い位置における開口の厚さを示す。この同じ弧半径は、破砕ハンマー開口の全厚さを通して使用されて良く、この発明の幾つかの例においては、それは破砕ハンマー厚さの好くなとも中央６５％又は少なくとも中央７５％に渡りさえ、使用される。開口の縁部分が中央部分と異なった湾曲特徴を有している時、縁部分は中央部分よりも小さな半径（例えば、少なくとも５０％小さい）を有して良く、そして幾つかの例では、端部分半径「Ｒ２」が０．０５Ｒ１乃至０．５Ｒ１の範囲内に、そして幾つかの例では、０．０６Ｒ１乃至０．２５Ｒ１の範囲内に，又は０．０８Ｒ１乃至０．１２Ｒ１の範囲内にあって良く、又は、これらの式の外側の他の配置でさえ良い。
この発明のさらなる概念は、破砕ハンマーの搭載開口内にブシュ部材（bushing member）を含む破砕ハンマーに関係していて、ここにおいては（ハンマーピンを受け入れる）ブシュ部材の内表面がブシュのハンマーピン受け入れ開口の第１端からブシュのハンマーピン受け入れ開口の第２端、反対端、へと向かう方向において連続して湾曲されている。このような構造においては、破砕ハンマーの搭載開口が（例えば、図２Ａ及び２Ｂ中に示されている如く）略平坦な側面，その他を有して良い。
この発明のまた更なる概念は、その中にスプール部材（spool member）が搭載され、そしてその中にハンマーピンが受け入れらえている搭載開口（即ち、このスプール部材の外表面は破砕ハンマーの搭載開口中に受け入れられている）を含む破砕ハンマーに関係している。この発明に従っているこのような一例の構造においては、破砕ハンマー搭載開口の内表面の少なくとも一部分及び／又は（破砕ハンマー搭載開口の内表面に係合している）スプール部材の外表面が、一端から他端まで連続して湾曲していて良い。さらに又は或いは、もし望むのであれば、（ハンマーピンに係合している）スプール部材の内表面が、一端から他端まで連続して湾曲していて良い。
この発明のさらなる概念は、ハンマー搭載部分及びハンマー刃部分を含んでいるハンマー本体を有している破砕ハンマーに関係していて、ここにおいてはハンマー搭載部分がその中に規定されていてハンマー本体の第１主要表面からハンマー本体の第２主要表面まで延出しているハンマーピン受け入れ開口を含む。この発明のこの概念においては、ハンマーピン受け入れ開口の内表面の少なくとも中央部分が、内表面の局部的な極端（local extrema）が第１主要表面と第２主要表面との間に配置されているよう湾曲されている。内表面の湾曲されている中央部分は、例えば、ハンマーピン受け入れ開口厚さの全厚さの少なくとも２５％に延出している。
この発明のもう一つの概念は、ハンマー搭載部分及びハンマー刃部分を含んでいるハンマー本体を有している破砕ハンマーに関係していて、ここにおいてはハンマー搭載部分がその中に規定されていてハンマー本体の第１主要表面からハンマー本体の第２主要表面まで延出しているハンマーピン受け入れ開口を含む。この発明のこの概念においては、ハンマーピン受け入れ開口の内表面の少なくとも中央領域が複数の平坦で平行でない表面を含み、ここにおいては中央領域内の個々の平坦表面が中央領域内においてそれに隣接している平坦表面と鈍角（obtuse angle）で接合されている。この特別な状況において使用されている時の「中央領域」は、ハンマーピン受け入れ開口厚さの全厚さの中央７５％を構成している。この中央領域は、例えば３乃至４０の平坦で平行ではない表面、そして幾つかの構成では、５乃至３０の平坦で平行ではない表面、を含んで良い。
この発明のさらにもう１つの概念は、ハンマー搭載部分及びハンマー刃部分を含んでいる破砕ハンマーに関係していて、ここにおいてはハンマー搭載部分がその中に規定されていてハンマー本体の第１主要表面からハンマー本体の第２主要表面まで延出して搭載開口を含んでいる。別のピン係合部材が搭載開口中に受け入れられていて、ここにおいてはピン係合部材が搭載開口に係合する外表面を含み、そして、ここにおいてはピン係合部材がピンを受け入れる為の内表面を含んでいるハンマーピン受け入れ開口を規定している。ピン係合部材は、例えばハンマー本体の搭載開口内で回転可能な球枢動部材（ball swivel member），（少なくとも部分的に搭載開口内でハンマー本体に対し任意に固定されている）ブシュ部材（bush member），又は（搭載開口内を延びていてハンマー本体に関し任意に回転可能である）スプール部材（spool member）を構成して良い。
この発明のさらなる概念は、この発明の複数の例に従っている破砕ハンマーを含んでいる破砕システム及び／又は破砕ヘッドに関係しており、図１Ａ及び１Ｂに関連して概略的に上述された形式（しかし、この発明に従っている１つ又はそれ以上の破砕ハンマーがその上に搭載されている）の破砕システム及び破砕ヘッドを含んでいる。如何なる所望の形式の破砕システム又は破砕ヘッド（ロータ（rotor））は、円板（disc），スパイダー（spider），バレル（barrel）回転体，その他の如き、この発明の複数の例に従っている破砕ハンマーを含んで良い。
この発明のまたさらなる概念は、破砕ハンマー、例えば上述した形式の、を製造する方法に関係している。このような方法は、製造工程における核心を使用する必要性を避けて良く、製造工程の時間，コスト，そして複雑さを減少させることが出来る。